(57)【特許請求の範囲】
【請求項１】
隣接する上下一対の梁及び左右一対の柱で形成された矩形空間内に矩形状の枠体を配置すると共に、該枠体内にブレースを配置し、枠体を構成する枠部材を貫通したアンカーボルトを、梁及び柱における矩形空間の形成面に、アンカーボルトのボルト頭を枠部材に対し離間させる様に打ち込み、枠部材と形成面間の隙間に充填材を注入し、枠部材は、細長板部と、該細長板部の両側長辺部より垂直に突設した一対の側板部を有し、細長板部及び側板部で形成された凹部内に複数枚の補強板を、両端部を上記側板部に一体化させて細長板部の長手方向に配列し、かかる凹部内に打設した定着充填材を上記補強板により複数の塊に分割したことを特徴とする耐震補強構造。
【発明の詳細な説明】
【０００１】
【発明の属する技術分野】
本発明は、例えばラーメン構造建築物の様な、隣接する一対の梁及び一対の柱で囲まれた矩形空間を有する建築物における耐震補強構造に関する。
【０００２】
【従来の技術】
従来、かかる耐震補強構造としては、図６〜１０に示す様に、隣接する上下一対の梁ｂ１、ｂ２及び左右一対の柱ｃ１、ｃ２で囲まれた矩形空間ａ内に構築するものであって、一対の梁ｂ１、ｂ２及び一対の柱ｃ１、ｃ２における矩形空間ａの形成面ｄ１、ｄ２…の夫々に複数本のアンカーボルトｅ１、ｅ1a…を配列して、それらの基端部を梁ｂ１、ｂ２及び柱ｃ１、ｃ２に打ち込み埋設している。  他方、梁ｂ１、ｂ２及び柱ｃ１、ｃ２における矩形空間ａの形成面ｄ１、ｄ２…の対向位置に枠部材ｇ１、ｇ２…を配置すると共に、該枠部材ｇ１、ｇ２…における梁ｂ１、ｂ２及び柱ｃ１、ｃ２との対向面に埋設ボルトｉ１、ｉ２、ｉ1a、ｉ2a…を垂直突設している。
そして、枠部材ｇ１、ｇ２…を設置する前後のどちらかで、割裂補強用のスパイラル筋ｆ１、ｆ２…を配筋し、最後にモルタルｍを注入、打設して、梁ｂ１、ｂ２及び柱ｃ１、ｃ２に枠部材ｇ１、ｇ２…を一体化している。
尚、枠部材ｇ１、ｇ２…は、細長板部ｊと、該細長板部ｊの両側長辺部に一体形成した一対の側板部ｋ１、ｋ２で構成し、一方の側板部ｋ１を細長板部ｊに対し垂直に一体突設させると共に、他方の側板部ｋ２の中央部を細長板部ｊの他方の長辺部に、該細長板部ｊに対し垂直に一体固設することで、断面略ｈ形状に形成している。そして、枠部材ｇ１、ｇ２…は、他方の側板部ｋ２における他側方への突出部位が、矩形空間ａの形成面ｄ１、ｄ２…側に、該形成面ｄ１、ｄ２…に対し垂直になる様に配置されている。
又、枠部材ｇ１、ｇ２…内に、反対側に傾斜する２本のブレースｖ１、ｖ２を設け、該ブレースｖ１、ｖ２の上端部を、上方の枠部材ｇ１と両側方の枠部材ｇ３、ｇ４の交差部に設けたブラケットｎ１、ｎ２に、下端部を、下方の枠部材ｇ２の中央部に設けたブラケットｎ３に夫々固設している。
【０００３】
そして、ある程度の震度迄の地震に対しては、２本のブレースｖ１、ｖ２で耐震補強し、許容震度以上の地震が発生すると、一対のブレースｖ１、ｖ２における一方に引張力、他方に圧縮力が作用してそのブレースｖ１、ｖ２が引張降伏又は圧縮降伏することによってエネルギーを吸収して建物の揺れを制御する様にしている。
【０００４】
研究開発段階や出願段階で先行技術調査を行っておらず、記載すべき先行技術文献を知りません。
【０００５】
【発明が解決しようとする課題】
しかし、上記従来工法にあっては、下記の通り解決せねばならない課題があった。
（１）各枠部材ｇ１、ｇ２…に埋設ボルトｉ１、ｉ２、ｉ1a、ｉ2a…を一体固設したり、スパイラル筋ｆ１、ｆ２…を配筋する面倒な作業が必要になる。
（２）枠部材ｇ１、ｇ２…と形成面ｄ１、ｄ２…の間にアンカーボルトｅ１、ｅ1a…及び埋設ボルトｉ１、ｉ２、ｉ1a、ｉ2a…が有り、而も矩形空間ａの内側に側板部ｋ１、ｋ２が突出しているため、全体的な厚みｈが大きくなって、矩形空間ａが狭く成り、その結果採光面積が狭くなったり、梁ｂ１、ｂ２及び柱ｃ１、ｃ２からの突出部位が大きく見栄えが悪い。
【０００６】
【課題を解決するための手段】
本発明は、上記従来技術に基づく、（１）、（２）の課題に鑑み、隣接する上下一対の梁及び左右一対の柱で形成された矩形空間内に矩形状の枠体を配置すると共に、該枠体内にブレースを配置し、枠体を構成する枠部材を貫通したアンカーボルトを、梁及び柱における矩形空間の形成面に、アンカーボルトのボルト頭を枠部材に対し離間させる様に打ち込み、枠部材と形成面間の隙間に充填材を注入し、枠部材は、細長板部と、該細長板部の両側長辺部より垂直に突設した一対の側板部を有し、細長板部及び側板部で形成された凹部内に複数枚の補強板を、両端部を上記側板部に一体化させて細長板部の長手方向に配列し、かかる凹部内に打設した定着充填材を上記補強板により複数の塊に分割することによって、アンカーボルトの打込み作業、枠部材の設置作業及び充填材の打設作業だけで設置作業を完了させる様にして、上記（１）の課題を解決し、而も矩形空間は、側板部の幅に隙間に注入した充填材の厚さを加えた寸法しか狭く成らず、梁及び柱からの突出部位を小さくする様にして、上記（２）の課題を解決する。
又、アンカーボルトのボルト頭と枠部材を離間した状態にして、アンカーボルトで枠部材を梁及び柱に締着一体化していないが、アンカーボルトを定着充填材に、定着充填材を枠部材に夫々一体化することで、アンカーボルトを枠部材に一体化することによって、枠部材を梁及び柱に一体化する様にしている。
【０００７】
【発明の実施の形態】
以下本発明の一実施例を図面に基づいて説明する。
図１は、本発明に係る耐震補強構造を示す正面図であり、図２、３は、図１のＸーＸ、ＹーＹ断面図であり、図４、５は、図２、３の要部拡大図である。
隣接する上下一対の梁Ｂ１、Ｂ２及び左右一対の柱Ｃ１、Ｃ２で形成された矩形空間Ａ内に、４本の枠部材1a、1b、1c、1dからなる矩形状の枠体１を配置し、各枠部材1a、1b、1c、1dを貫通したアンカーボルト２、2a…を、上方の梁Ｂ１の下面、下方の梁Ｂ２の上面及び一対の柱Ｃ１、Ｃ２の対向内面、即ち矩形空間Ａの形成面Ｄ１、Ｄ２…に打ち込んでいる。
各枠部材1a、1b、1c、1dには、矩形空間形成面Ｄ１、Ｄ２…に対向する細長板部３と、該細長板部３の両側長辺部より矩形空間Ａの内方側へ垂直に突設した一対の側板部４、4aを有しており、細長板部３にアンカーボルト２、2a…の挿通孔５、5a…を貫設し、該挿通孔５、5a…を貫通したアンカーボルト２、2a…のボルト頭６、6a…を細長板部３に対し離間させている。
又、細長板部３における形成面Ｄ１、Ｄ２…とは反対側面に複数枚の補強板７、7a…を、細長板部３の長手方向に所定間隔毎に配列すると共に、該補強板７、7a…の両端部を側板部４、4aに一体化している。
そして、枠部材1a、1b、1c、1dと形成面Ｄ１、Ｄ２…間の隙間に、例えばモルタルの様な打設時には流動性を有するが養生硬化する性質を有する充填材Ｍを注入し、且つ各枠部材1a、1b、1c、1dにおける細長板部３及び側板部４、4aで形成された凹部８内にワイヤーメッシュ９を設置して、上記充填材Ｍと同様の定着充填材10を打設している。
【０００８】
枠部材1a、1b…内に２本のブレース11、11a をＶ字状に配置し、該ブレース11、11a の上端部を、上方の枠部材１と両側方の枠部材1c、1dの交差部に設けたブラケット12、12a に、下端部を、下方の枠部材1bの中央部に設けたブラケット12b に夫々固設している。
尚、ブレース11、11a の形態はＶ字型に限定せず、図示しないが、山型タイプ、Ｘ型タイプ、マンサードタイプ等であっても良い。
【００１０】
次に本発明に係る耐震補強工法について説明する。
（１）枠部材1a、1b、1c、1dからなる枠体１を矩形空間Ａ内に配置した後、各枠部材1a、1b、1c、1dの挿通孔５、5a…を貫通させたアンカーボルト２、2a…を梁Ｂ１、Ｂ２及び柱Ｃ１、Ｃ２における形成面Ｄ１、Ｄ２…に打ち込んだ後、枠部材1a、1b、1c、1dと形成面Ｄ１、Ｄ２…の隙間に充填材Ｍを打ち込む。
（２）各枠部材1a、1b、1c、1dにおける凹部８内にワイヤーメッシュ９を設置した後、定着充填材10を打設する。
（３）ブレース11、11a の上下端部を、上方の枠部材１と両側方の枠部材1c、1dの交差部及び下方の枠部材1bの中央部に設けたブラケット12、12a 、12b に固設する。
【００１１】
次に本発明に係る耐震補強構造の作用について説明する。
地震等によって建物が揺れると、一対のブレース11、11a により矩形空間Ａの形状を維持して建物の耐震性能を向上させるが、許容震度以上の地震が発生すると、一対のブレース11、11a における一方に引張力、他方に圧縮力が作用してそのブレース11、11a が引張降伏又は圧縮降伏して建物の揺れを制御する様にしている。
【００１２】
【発明の効果】
要するに本発明は、隣接する上下一対の梁Ｂ１、Ｂ２及び左右一対の柱Ｃ１、Ｃ２で形成された矩形空間Ａ内に矩形状の枠体１を配置すると共に、該枠体１内にブレース11、11a を配置したので、上記枠体１及びブレース11、11a により耐震補強することが出来、且つブレース11、11a に作用する引張・圧縮力でブレース11、11a を引張降伏又は圧縮降伏させることで、地震動として建築物に入力されたエネルギーを消費して、構造主体の損傷を可能な限り軽減させる機能を具備させることが出来る。
又、枠体１を構成する枠部材1a、1b、1c、1dを貫通したアンカーボルト２、2a…を、梁Ｂ１、Ｂ２及び柱Ｃ１、Ｃ２における矩形空間Ａの形成面Ｄ１、Ｄ２…に、アンカーボルト２、2a…のボルト頭６、6a…を枠部材1a、1b、1c、1dに対し離間させる様に打ち込み、枠部材1a、1b、1c、1dは、枠部材は、細長板部３と、該細長板部３の両側長辺部より垂直に突設した一対の側板部４、4aを有し、細長板部３及び側板部４、4aで形成された凹部８内に複数枚の補強板７、7a…を、両側部を上記側板部４、4aに一体化させて細長板部３の長手方向に配列し、かかる凹部８内に打設した定着充填材10を上記補強板７、7a…により複数の塊に分割したので、アンカーボルト２、2a…は定着充填材10に、該定着充填材10は枠部材1a、1b、1c、1dに夫々一体化することで、アンカーボルト２、2a…により枠部材1a、1b、1c、1dを形成面Ｄ１、Ｄ２…に締着しなくても、アンカーボルト２、2a…と枠部材1a、1b、1c、1dを一体化させることが出来る。
而も、アンカーボルト２、2a…と枠部材1a、1b、1c、1dは非接触で地震時におけるアンカーボルト２、2a…と枠部材1a、1b、1c、1d間の滑り発生を防止出来るため、本発明に係る耐震補強構造の躯体側への一体性の向上を図ることが出来る。
又、枠部材1a、1b、1c、1dと形成面Ｄ１、Ｄ２…間の隙間に充填材Ｍを注入したので、矩形空間Ａ内における枠体１の位置決めを確実に行うことが出来る。
【００１３】
枠部材1a、1b、1c、1dの凹部８内に複数枚の補強板７、7a…を、両端部を上記側板部４、4aに一体化させて細長板部３の長手方向に配列し、かかる凹部８内に打設した定着充填材10を上記補強板７、7a…により複数の塊に分割したので、定着充填材10の塊の夫々に、外力作用によるひび割れ、破砕等を発生させない様にすることが出来、而も枠部材1a、1b、1c、1d自体の強度を向上させることが出来る。
【図面の簡単な説明】
【図１】  本発明に係る耐震補強構造を示す正面図である。
【図２】  図１のＸ１ーＸ１断面図である。
【図３】  図１のＹ１ーＹ１断面図である。
【図４】  図２の要部拡大図である。
【図５】  図３の要部拡大図である。
【図６】  従来の耐震補強構造を示す正面図である。
【図７】  図６のＸ２ーＸ２断面図である。
【図８】  図６のＹ２ーＹ２断面図である。
【図９】  図７の要部拡大図である。
【図１０】  図８の要部拡大図である。
【符号の説明】
１              枠体
1a、1b、1c、1d  枠部材
２、2a…        アンカーボルト
３              細長板部
４、4a          側板部
６、6a…        ボルト頭
７、7a…        補強板
８              凹部
10              定着充填材
11、11a         ブレース
Ａ              矩形空間
Ｂ１、Ｂ２      梁
Ｃ１、Ｃ２      柱
Ｄ１、Ｄ２…    形成面
Ｍ              充填材
【図１】
0003980984.tif 000002
【図２】
0003980984.tif 000003
【図３】
0003980984.tif 000004
【図４】
0003980984.tif 000005
【図５】
0003980984.tif 000006
【図６】
0003980984.tif 000007
【図７】
0003980984.tif 000008
【図８】
0003980984.tif 000009
【図９】
0003980984.tif 000010
【図１０】
0003980984.tif 000011